(57)【要約】ハウジングと、このハウジングに内蔵されるモータとを備えたヘアラッピング装置及び方法である。ハウジングにはカバーが回転可能に取り付けられ、カバーはモータによって駆動される。紐を受領するスプールは、カバーと無関係に自由に回転することができる。紐は、カバーと一緒に回転するために保持される。カバーは、髪の房及び紐を通すための孔を備えている。モータによってカバーが回転することにより、髪の房の周りを紐が回転し、それによって髪を紐で巻きつけることができる。
2005508240.tif 000002
【特許請求の範囲】
【請求項１】
ハウジングと、
周りに巻きつけた紐を受領するように形成されたスプールと、
回転可能なカバーと、
を備え、
前記カバーは、該カバーと一緒に回転するために紐を受領して保持するように形成され、かつ内部に
髪と紐を通して受領するための孔を備え、前記スプールは、前記カバーに対して回転可能に動くように取り付けられ、該カバーの回転によって該紐を髪の周りに巻き付ける、ヘアラッピング装置。
【請求項２】
前記カバーを回転させるためのモータをさらに備えた、請求項１に記載のヘアラッピング装置。
【請求項３】
前記モータは可逆モータである、請求項２に記載のヘアラッピング装置。
【請求項４】
前記スプールは、前記カバーの回転運動とは無関係に回転可能である、請求項１に記載のヘアラッピング装置。
【請求項５】
前記カバーは、孔の周りにスリーブを備え、前記スプールは、該カバーの回転運動とは無関係に回転可能なように、該スリーブによって支持される、請求項１に記載のヘアラッピング装置。
【請求項６】
前記カバーを回転させるために、該モータによって駆動される少なくとも一つのギアをさらに備えた、請求項２に記載のヘアラッピング装置。
【請求項７】
前記カバーは、上面を備え、該カバーの上面に孔が形成されてなる、請求項１に記載のヘアラッピング装置。
【請求項８】
前記孔はテーパ形状を備え、その最も広がった部分は、該カバーの中心から最も離れた所にあって髪の房を受領し、最も狭い部分は、該カバーの中心に向けられて、該カバーの中に髪の房を保持するようになっている、請求項７に記載のヘアラッピング装置。
【請求項９】
前記カバーは、内部に、前記紐が該カバーから出る際に、この紐を受領するための開口部を備える、請求項８に記載のヘアラッピング装置。
【請求項１０】
前記開口部は、前記孔の狭い部分の反対側に設置されている、請求項９に記載のヘアラッピング装置。
【請求項１１】
前記孔は、三角形状を備えた、請求項１に記載のヘアラッピング装置。
【請求項１２】
前記孔は、略三角形状を備え、前記カバーの上面の略中心に先の丸い頂点を備える、請求項７に記載のヘアラッピング装置。
【請求項１３】
前記髪の周りの紐を調節するために、前記スプールを順方向又はその逆方向に手動で回転させるメカニズムを備えた、請求項１に記載のヘアラッピング装置。
【請求項１４】
前記スプールを所定の張力で回転に対し維持させるテンショナをさらに備えた、請求項１に記載のヘアラッピング装置。
【請求項１５】
前記テンショナは、第一の縁部と第二の縁部とを有する少なくとも一本の脚を備え、該脚は、前記第一の縁部が該カバーに回動可能に取り付けられ、第二の縁部がスプリングに接続され、該スプリングは、該脚を前記スプールに対して弾性的に保持する、請求項１４に記載のヘアラッピング装置。
【請求項１６】
前記テンショナは、少なくとも二本の脚を備え、各脚は、その第一の縁部が該カバーに回動可能に取り付けられ、前記各脚の第二の縁部の間を延びる該スプリングによって結合され、前記スプールは、該両脚の間に保持される、請求項１４に記載のヘアラッピング装置。
【請求項１７】
前記髪及び紐を受領するように形成された糸通し器をさらに備え、当該糸通し器は、前記カバーの孔を介して受領されるように形成されている、請求項１に記載のヘアラッピング装置。
【請求項１８】
前記カバー及び前記スプールは、ヘアラッピング装置の外に向かって紐を髪に巻いていき、それ全体が目で見られるように形成されている、請求項１に記載のヘアラッピング装置。
【請求項１９】
ヘアラッピング装置を使用して髪を紐で巻く方法であって、
前記ヘアラッピング装置は、周りに巻きつけた紐を受領するように形成されたスプールと、回転可能なカバーと、を備え、
前記カバーは、該カバーと一緒に回転するために紐を受領して保持するように形成され、内部に、髪と紐を通して受領する孔を有し、
前記カバーと一緒に回転するように紐を確保するステップと、
前記髪及び紐を前記カバーの孔に通すステップと、
前記髪を紐で巻くために前記カバーを回転させるステップと、
を備えた方法。
【請求項２０】
前記カバー及び前記スプールは、前記ヘアラッピング装置の外に向かって紐を髪に巻き、それ全体が目で見られるように形成されている、請求項１９に記載の方法。
【請求項２１】
前記カバーを回転させるステップは、該カバーを回転させるため、モータを介して少なくとも一つのギアを駆動するステップを含む、請求項１９に記載の方法。
【請求項２２】
前記モータは、可逆モータである、請求項２１に記載の方法。
【請求項２３】
前記可逆モータによって、少なくとも部分的に髪から紐をほどくステップをさらに含んだ、請求項２２に記載の方法。
【請求項２４】
前記ヘアラッピング装置は、手動調節メカニズムを備える、請求項１９に記載の方法。
【請求項２５】
前記手動調節メカニズムによって、前記髪の周りの紐のラッピングを手動で調節するステップをさらに含む、請求項２４に記載の方法。
【請求項２６】
前記紐を確保するステップは、紐に張力を与えるために、該スプールを所定の張力で回転に対し維持させるステップをさらに含む、請求項１９に記載の方法。
【請求項２７】
前記カバーは、上面を備え、前記孔は、該カバーの上面に形成されてなる、請求項１９に記載の方法。
【請求項２８】
前記孔は、テーパ形状を備え、その最も広がった部分は、前記該カバーの中心から最も離れた所にあって髪の房を受領し、最も狭い部分は、当該カバーの中心に向けられて、該カバーの中に髪の房を保持するようになっている、請求項２７に記載の方法。
【請求項２９】
前記髪の毛及び紐を孔に通すステップは、
孔の最も広がった部分の中に、前記髪及び紐を挿入するステップと、
前記カバーの中に前記髪を保持するために、前記孔の最も狭い部分に当該髪及び紐を移動させるステップと、
を備える、請求項２８に記載の方法。
【請求項３０】
前記髪及び紐をカバーの孔に通すステップは、
前記髪及び紐を、前記糸通し器を介して受領するステップと、
前記カバーの孔に、前記髪、紐、及び糸通し器を通過させるステップと、
を備える、請求項１９に記載の方法。
【請求項３１】
ハウジングと、
周りに巻きつけた紐を受領するように形成されたスプールと、
回転可能なカバーと、
前記カバーを回転させるために少なくとも一つのギアを駆動するモータと、
前記スプールを所定の張力で回転に対し維持させるテンショナと、
を備え、
前記カバーは、該カバーと一緒に回転するために紐を受領して保持するように形成され、内部に、前記髪と紐を通して受領する孔を備え、
前記スプールは、前記カバーに対して回転可能に動くように取り付けられ、該カバーの回転によって該紐を髪の周りに巻き付ける、
ヘアラッピング装置。
【発明の詳細な説明】
【０００１】
関連出願
２００２年１月１４日に、発明者の名において申請した、米国出願第１０／０４７，４８９号の優先権をここに主張する。
【０００２】
技術分野
この発明は、主にヘアラッパに関し、特に、髪の毛を紐で巻く装置に関する。
【０００３】
背景技術
三つ編みやビーズ装飾等、多様なヘア装飾が知られているが、その一つとして、装飾用の紐で一房の髪を巻くヘアラッピングというものがある。ヘアラッピングは普通、人の手によって行われるが、それは時間のかかる大変な作業であった。自動でヘアラッピング作業を行うために、米国特許第４，８２４，０３６号（Ｂｕｔａ氏）に開示される装置を含む、幾つかの試みがなされた。Ｂｕｔａ氏の発明は、髪の毛を入れる中央チューブを備えた装置である。このチューブは、スプール及び糸案内が取り付けられた回転ディスクに囲まれていて、ディスクがモータによって回転することにより、スレッド・ガイドが髪の毛の周りを回って、糸を髪の毛に巻きつけるようになっている。米国特許第５，６７１，７５９号（Ｃｈｕｎｇ氏ら）には、髪の房を受領する中空のスピンドルを用いた、玩具用ヘアラッピング装置が開示されている。このスピンドルは、モータを使って回転させることができる。また、このスピンドルは、紐を受領して維持する戻り止めを備えており、スピンドルが回転することによって紐で髪の毛を巻くようになっている。
【０００４】
しかしこれらの装置はその製造が複雑であり、ヘアラッピングは装置の内部で行われるためにユーザがその作業を実際に目で見ることが難しかった。また、既知のヘアラッピング装置では、失敗した箇所を直す際にも困難があり、さらには、髪がもつれたり、紐をきつく巻き過ぎた場合には、ケガにつながる可能性もあった。
【０００５】
発明の開示
本発明の一面は、ハウジングと、そのハウジングに内蔵するモータとを備えたヘアラッピング装置に関する。ハウジングにはカバーが回転可能に取り付けられ、このカバーはモータによって駆動される。紐を受領するスプールは、カバーから独立して回転するように取り付けられている。紐はカバーと一緒に回転するように保持されている。カバーには、一房の髪の毛と紐を通すための孔が備わっている。カバーがモータによって回転し、髪の房の周りを紐が回転することにより、この紐が髪に巻きつけられていく。カバーと一緒に回転するために紐を保持しておくことによって、ラッピング作業をカバーの上面で行うことができる。これによって、ユーザはラッピング作業を簡単に目で見ることができ、失敗したり、髪がもつれた場合でも、やり直しがきかなくなる前、又は髪の毛を引っ張る前に、それに素早く気づくことができる。
【０００６】
ある実施形態では、モータは逆回転が可能であり、ラッピング作業で起きた失敗は、ラッピングの方向を反対にすることで訂正できるようになっている。別の実施形態では、カバーの孔は、中心から外れた位置に髪の房を受領するための領域を備え、中心に向かって徐々に狭くなっていき、髪の房をカバー及びスプールの中心でしっかりと保持するようになっている。中心孔に中心から偏心して広がった領域があることによって、髪を容易に孔に通すことができ、孔の狭くなった中心領域によって、髪の毛を、ラッピングのためのコンパクトな束にまとめることができる。
【０００７】
また別の実施形態では、スプールを所定の張力で回転に対し維持させるテンショナが備わっている。モータによってカバーが回転することにより、紐が髪の房の周りを回転し、それによって、所定の張力で紐を髪に巻きつけていく。本発明のさらに別の実施形態では、髪の周りに巻きつける紐を調節するためにスプールを手動で回転させる、手動操作メカニズムを備えている。
【０００８】
本発明の別の側面は、紐で髪の毛を巻く方法に関する。この方法は、ハウジングと、このハウジングに内蔵するモータと、ハウジングに回転可能に取り付けられ且つモータによって駆動されるカバーとを備えたヘアラッピング装置を提供することを含んでいる。このカバーには、それを貫く孔と、独立して回転運動を行うスプールとが備わっている。上記の方法は、さらに、紐をスプールに巻きつけるステップを含んでいる。この紐は、カバーと一緒に回転するように保持されている。髪の房及び紐をカバーの孔に通し、モータを作動させてこのカバーを回転させることにより、髪を紐で巻くことができる。
【０００９】
カバーの上で髪に紐を巻くことも可能であり、そうすることでユーザはラッピング作業を目で見ることができる。ヘアラッピング装置は、可逆モータを備えてもよく、ヘアラッピング方法は、さらに、この可逆モータによって少なくとも部分的にラッピングを逆回転で行うステップを備えてもよい。このヘアラッピング装置は、手動調節メカニズムを備えてもよく、ヘアラッピング方法はさらに、この手動調節メカニズムによってラッピングを手動で調節するステップを備えてもよい。また、紐に張力を与えるため、スプールは、所定の張力で回転に対し維持できるようにしてもよい。
【００１０】
カバーの孔は、中心から外れた領域を備え、この孔は、カバーの中心に向かって狭くなっていてもよい。髪の房と紐を通すステップは、髪と紐を孔の中心からずれた領域に通し、それらを孔の狭くなった部分に移動させるステップを含んでもよい。この狭くなった部分において、髪の房をカバーの中心にしっかりと保持することができる。髪の房及び紐をカバーの孔に通す際に、糸通し器を使用してもよい。
【００１１】
推奨実施例の説明
図１−図４を参照すると、本発明によるヘアラッパ１０は、一房の髪を紐で巻くよう設計されている。ヘアラッパ１０は、ホルダ１４を有するハウジング１２を備えてもよい。このホルダにはカバー１６を取り付けてもよい。ホルダ１４、カバー１６はともにどのような形状を備えてもよく（例えば円形）、カバー１６はホルダ１４内で回転可能にしてもよい。ホルダ１４及びカバー１６には、どちらも、それらを貫くようにして中心孔が備わっていてもよく、その中心孔に紐で巻く髪を通す。ハウジング１２は、プラスチック又は金属等どのような材料で成形してもよく、また、当然のことながら、ハウジング１２、ホルダ１４、カバー１６はどのような形状を備えてもよい。紐については、カバー１６を回転させることで髪に紐を巻き付けるように、カバー１６と回転可能なものに制約してもよい。
【００１２】
ハウジング１２は、ヘアラッパ１０に使い心地のよいハンドルを提供するよう人間工学に基づいて成形してもよく、バッテリ用ハッチ１８と、糸通し器２１を受領する溝２０と、糸通し器２１を溝２０内で保持するためのラッチ２２と、を備えてもよい。糸通し器２１は、髪の毛をラッパー１０に簡単に通すことができるようにし、柔軟なループ部２３とハンドル２４とを備えてもよい。溝２０と糸通し器２１は、どのような形のものであってもよい。ボタン２５はスライド可能に操作できるようになっており、ハウジング１２上にはさらにラッチ２６が備わっていてもよい。操作ボタン及びそのメカニズムはどのような形式のものであってもよい。ラッチ２６は、カバー１６をホルダ１４内に保持し、スプリング（図示しない）によって所定の位置に付勢されるようになされてもよい。設計によっては、ラッチ２６が必要ない場合もあり、ラッチ２６が備わっている場合は、その形状はどのようなものであってもよい。ハウジング１２は製造を簡略化するために二つの部分から作られ、ネジ等一つ以上の締結具２７によって一つに合体される。
【００１３】
図３を参照すると、ホルダ１４は、ベース２８を備えていてもよく、このベース２８からは壁３０が延びている。この壁３０は、外側に延出したショルダ３２、及び、外リップ３４へとつながっている。実質的に中心にあるベース孔３６は、その周囲を上に向かって延びるスリーブ３７（図８及び図１１に示す）と共に、ベース２８を通って延びている。横向きに伸びるスロット３８（図５Ａ及び図５Ｂに示す）は壁３０内に設置されている。このスロット３８の隣には、開口部４０を備えてもよく、この開口部４０の中に、ヘアラッピングの手動による変更を行うサムギア４４を支持するための支持ピン４２を設置してもよい。このサムギア４４は、部分的にスロット３８からはみ出しているが、図示した実施形態では、リップ３４を超えてはみ出してはいない。設計によっては、とりわけ、ラッピング作業を手動で変更する必要がない場合には、ヘアラッパ１０はサムギア４４を備えなくてもよい。
【００１４】
カバー１６は、その基部に、ホルダ１４の壁３０と同じか又はそれより少し小さい直径を有する壁４６を備えてもよい。壁４６のベースには、ホルダ１４のリップ３４内に設置することが可能なギア４８（図６及び図７に示す）を設置してもよい。図示した例では、カバー１６は、カバー孔５２を略中心に有する円錐形の上面５０を備えているが、当然のことながら、カバー１６のデザインに関してはどのようなものを使用してもよい。カバー孔５２は、三角形その他どのような形状であってもよい。また、カバー孔５２には、上面５０の中央に先の丸い頂点５４が備わっていてもよく、それ以外の三角形の部分は、中心から偏心した部分とされる。頂点５４は、紐で巻く髪の房の半径とほぼ等しい半径を備えていてもよい。孔５２は、中心から偏心した領域を備えていてもよく、その領域の中に髪の毛を挿入又は通過させてもよい。孔５２はさらに、カバー１６の略中心部に小さい領域を備えてもよく、ラッピング作業中はその小さい領域の中に髪の毛をしっかりと保持してもよい。孔５２はどのような形状を備えていてもよく、例えば、三角形、テーパ形、鍵穴形、ダイヤ形、紡錘形、その他であってもよい。壁４６内の、孔５２の頂点５４と反対側には、スロット５６を設置してもよい。孔５２の周囲には、上面５０から下に向かって、スリーブ５７（図８及び図１１に示す）が延出していてもよい。
【００１５】
自由端６１を有する紐６０が巻きつけられるスプール５８（図８及び図１１に示す）を備えてもよい。この紐はどのような種類の紐であってもよく、綿、絹、合成材料、ウール等、どのような材料のものであってもよい。ある好適な例では、使用する紐６０は伸縮しないが、螺旋状のラッピング効果を得るために紐６０を緩く巻くことが必要な場合には、弾力性のある紐を使用してもよい。紐６０はどのような太さでもよく、その断面は円形でなくてもよい。例えば、紐６０はリボンであってもよい。図１０を参照すると、スプール５８は、底面６２及び上面６４を備えてもよい。スプールギア６６は、底面６２からはみ出ていてもよい。スプール５８はボア６９を有する中央チューブ６８を備えていてもよく、この中央チューブ６８は上面６４の上まで延びている。チューブ６８の上端の周囲には、外側に突き出した面取りリップ７０を備えてもよい。
【００１６】
カバー１６は好適にはテンショナ７２（図９に示す）を備えており、このテンショナ７２は、テンショナ孔７６を略中心に備えたテンショナプレート７４から構成されている。このテンショナプレート７４には、脚７８が端部８０で接続されていてもよい。この脚７８は、孔７６の縁部と少し重なっていてもよい。テンショナプレート７４は、ピン又はネジ（図示しない）を複数の孔８６に通す等、いずれか適切な態様においてカバー１６内に固定され、こうすることによってテンショナの構造をカバー１６内で保護するようにしてもよい。テンショナは、スプール５８を所定の張力で回転に対し維持させることができる。当然のことながら、このヘアラッパ１０には、どのようなテンション装置を使用してもよい。設計によっては、ヘアラッパ１０にテンショナ７２を備える必要がない場合もある。
【００１７】
図７のように、バッテリ８８とモータ９０をハウジング１２に内蔵してもよい。モータ９０は、可逆モータ（逆回転が可能なモータ）を含むどのようなモータであってもよく、ボタン２５に接続されて操作される。ある例では、図６のようにボタン２５を前方向に動かすと、モータが順方向に作動し、図７のようにボタン２５を逆方向に動かすと、モータが逆方向に作動する。図６に示すように、モータ９０はシャフト９２を動かし、このシャフト９２には第一のギア９４が接続されている。第一のギア９４は第二のギア９６を駆動し、第二のギア９６が第三のギア９８を駆動している。この第三のギア９８はアイドラー・ギアであってもよい。図１１に示す別の例では、モータ１００がウォームギア１０２を駆動し、このウォームギア１０２がギア１０４、１０６を駆動する。モータ、ギアの配列、及び電源についてはどのような形式のものであってもよい。例えば、モータは、パワーリード又は一つ以上の単三電池等のバッテリによって作動させてもよい。このモータはどのような種類のモータであってもよいが、可逆モータが使用される場合は、好みに応じて、方向を反転させるためにさらに別のギア及び／又はクラッチを使用してもよい。ギアリングに関しては、所望の操作スピード及び電源に対して最適のギア比を得られるようにこれを選択してもよい。例えば、ギア比を高くすれば、ヘアラッパは所望のスピードで駆動されるが、パワーの弱いバッテリ等小さい電源によって作動される。バッテリ及び／又はモータのサイズ及び操作方法は、本明細書中に記載する例に限定されないものとする。電源、バッテリ、モータ、その他発電機に関しては、どのようなものを使用してもよい。加えて、設計によっては、ヘアラッパに手動で電源を投入した方が好ましい場合もある。
【００１８】
ヘアラッパ１０を組み立てるために、紐６０をスプール５８に通し、このスプール５８をカバー１６内にスリーブ５７の上から設置してもよい。スプール５８のリップ７０は、テンショナ７２の孔７６の中に挿入してもよい。リップ７０の面取り部によって、テンショナ７２の脚７８は、スプリング８４の力に反して外向きに押しやられるが、図８から明らかなように、スプール５８のリップ７０がテンショナ７２の中へ完全に挿入されると、脚７８は同時に元に戻る。脚７８は、リップ７０の下にあって、スプール５８の中央チューブ６８を掴むようにしてもよい。このようにスプール５８は、脚７８の摩擦力によって、所定の張力で回転に対し抑制される。紐６０の自由端６１は、スロット５６を通り、カバー１６の上面５０の上に置かれる。スプール５８はスリーブ５７上で自由に回転し、紐を容易にほどけるようにしてもよい。
【００１９】
ハウジング１２のラッチ２６を引っ込めて、カバー１６をホルダ１４のリップ３４の中に置いてもよい。カバー１６のギア４８は、リップ３４内に設置されて、第三のギア９８と組み合わされる。カバー１６のスリーブ５７は、ベース１４のスリーブ３７にかぶさるように挿入される。サムギア４４は、スプールギア６６と組み合わされる。その後ラッチ２６を解除して、カバー１６を正しい位置で固定する。
【００２０】
図４〜図８を参照すると、操作中は、糸通し器２１を溝２０から抜いてユーザがこれを掴むようにしてもよい。ユーザは髪の房１０８を糸通し器２１のループ部２３に通し、紐６０もこのループ部２３に通してもよい。ハンドル２４の自由端については、これをカバー１６のカバー孔５２（図５Ａ）に差し込んで、スプール５８のボア６９を貫いてホルダ１４のベース孔３６から出るようにしてもよい。糸通し器２１を引っ張ってヘアラッパの孔を完全に通過させることによって（図５Ｂ）、髪１０８と紐６０をカバー１６、スプール５８、及びホルダ１４に通すことができる。髪と紐は、糸通し器を使用せずにヘアラッパの穴に通すことが望ましいが、糸通し器を使用する場合は、糸通し器はどのような形状のものであってもよい。カバー１６のカバー孔５２は広がった領域を備えているので、髪を容易にヘアラッパ１０に通すことができる。
【００２１】
ヘアラッパ１０は、髪の根元のできるだけ近くまで移動させてもよい。紐６０を引っ張ることによって、紐６０の自由端６１が、紐で巻く髪１０８の長さより少し長くなるまで、スプール５８を手動で巻き戻してもよい。ユーザが髪の根元からではなく毛先から紐を巻きたいという場合には、ヘアラッパ１０を髪の根元に向かって動かす代わりに、髪の毛先に向かって動かすようにしてもよい。さらに、髪の長さ分全てを紐で巻く必要はなく、髪のある一部分だけを巻いて所望の効果を得るようにしてもよい。
【００２２】
ある例では、図６に示す例のように、ユーザがボタン２５を前方向にスライドさせて、モータ９０がギア９４、９６、９８を順方向に作動させるようにしてもよい。この例では、ギア９８がギア４８と相互作用してカバー１６を回転させている。紐６０はスロット５６によって抑えられたままで、カバー１６の回転と共に紐が髪１０８の周りを回転し、紐６０はスプール５８から引き出され、スプール５８はスリーブ５７の周りを回転する。スプール５８はカバー１６の回転方向とは無関係にどの向きで回転してもよいので、スプール５８に巻かれる紐６０は、時計回りであっても反時計回りであっても構わない。テンショナ７２は、スプール５８が回転する間、紐６０に一貫した張力を維持するようにする。カバー１６の孔５２の形のため、また、スロット５６がこの孔の頂点５４の反対側にあるために、髪を紐で巻く際に、紐６０の張力によって、髪の房が頂点５４内に引っ張られる。その結果、髪の房１０８は、先が丸い頂点５４の半径とほぼ同じ半径を有する、密集した束として保持される。
【００２３】
カバー１６の回転中、従って髪に紐を巻いている間、ヘアラッパ１０は髪の房１０８を下又は上に向かってゆっくり移動し、それによって、所望の長さの髪の房を紐で巻く。ヘアラッピングは、カバー穴５２の領域内において、カバー１６の上面の上か又はそれに近接して行うことができる。これによってユーザはラッピング作業を目で見ることができるようになる。ユーザがラッピングに失敗したと感じる場合、例えば、ヘアラッパを髪の毛先に向かって素早く動かし過ぎてラッピングがまばらになってしまった場合、ユーザはその失敗を簡単に目で見ることができる。図７に示すように、ボタン２５を逆方向（同図では右方向）に動かすと、モータ９０が作動方向を反転する。その結果、紐６０はスプール５８に巻き戻され、ユーザは髪に巻かれた紐６０をほどくことができる。ラッピングに失敗した箇所をほどけば、ユーザは再度ボタン２５を左に動かしてラッピングを継続することができる。当然のことながら、逆方向のラッピングが可能なようにユーザが紐６０をスプール５８に巻いておけば、ボタン２５を前方向（図６では左方向）に動かして、モータ９０に方向転換をさせて髪に巻かれた紐をほどくことができる。
【００２４】
さらに、ボタン２５が「ＯＦＦ」になっている（つまりボタンが中心に位置する）場合には、ユーザはサムギア４４を操作し、ギア６６によってスプール５８を手動で回転させてもよい。また、たるみを無くすように紐６０を引っ張り、ラッピングを上手く調節するためにサムギア４４を使用してもよい。例えば、ユーザは、失敗を取り除くためにラッピングを反転させた後、サムギア４４を使って紐６０を張らせて張力を訂正し、その後、前方向にラッピングを継続してもよい。ラッピング作業中、所々にビーズやその他の飾りを挟みたい場合は、ラッピングを止め、サムギア４４を使って紐を少し緩め、飾りをつけるために紐６０を少し遊ばせてもよい。サムギア４４を所望通りに使用した後、ユーザはこれまでのようにモータ９０を使ってラッピングを継続してもよい。
【００２５】
ラッピングが完了したら、ユーザは紐６０を切って、その紐の端を、紐で巻いた髪の長さより長く残しておいた自由端６１と結んでもよい。ヘアラッピングの仕上げは、適当なビーズやタイ（ｔｉｅｓ）、その他の飾りを使って行ってもよい。都合に合わせて、紐は多色のものあってもよい。つまり、部分的に異なる色を有する紐を使用することによって、ラッピングにストライプ効果が得られるようにしてもよい。なお、色や効果はどのようなものであってもよい。その後、ラッチ２６を使ってカバー１６をホルダ１４から取り出し、スプール５８を紐６０で再補充して、新たなラッピング作業を行うようにしてもよい。
【００２６】
本明細書中に記載した例や実施形態は本発明を説明する目的においてのみ記載されており、それを考慮して生じる様々な変形例又は変更は、当業者に対して示され且つ本出願の精神及び範囲内に含まれるものとする。本発明は、その精神又は本質的特性から逸脱しない限りにおいて、その他の形態においてもこれを実施することができる。
【００２７】
【図面の簡単な説明】
図面には、現時点で好適である実施形態を示すが、本発明はそれに示される配列及び手段に制限されないもとする。
【図１】
本発明による典型的なヘアラッパの平面図である。
【図２】
図１のヘアラッパの下面図である。
【図３】
図１のヘアラッパの側面図である。
【図４】
このヘアラッパ及び糸通し器の平面図である。
【図５ａ】
本発明によるヘアラッパを貫く糸通し器を示す図である。
【図５ｂ】
本発明によるヘアラッパに、髪の毛及び紐を通す糸通し器を示す図である。
【図５ｃ】
本発明によるヘアラッパの使用中の図である。
【図６】
ギアを第一の方向に回転させた際のギアアセンブリの典型的な実施形態を示す、ヘアラッパの概略図である。
【図７】
ギアを第二の方向に回転させた際の、図６のヘアラッパの概略図である。
【図８】
図１の線８−８についての部分側面図である。
【図９】
本発明によるヘアラッパのカバー内に設置される典型的なテンショナの図である。
【図１０】
本発明によるヘアラッパに使用する、典型的なスプール及びサムギアの斜視図である。
【図１１】
本発明によるヘアラッパの別の実施形態における部分側面図である。
【国際公開パンフレット】
2005508240.tif 000003
2005508240.tif 000004
2005508240.tif 000005
2005508240.tif 000006
2005508240.tif 000007
2005508240.tif 000008
2005508240.tif 000009
2005508240.tif 000010
2005508240.tif 000011
2005508240.tif 000012
2005508240.tif 000013
2005508240.tif 000014
2005508240.tif 000015
2005508240.tif 000016
2005508240.tif 000017
2005508240.tif 000018
2005508240.tif 000019
2005508240.tif 000020
2005508240.tif 000021
2005508240.tif 000022
2005508240.tif 000023
2005508240.tif 000024
2005508240.tif 000025
2005508240.tif 000026
2005508240.tif 000027
【国際公開パンフレット（コレクトバージョン）】
2005508240.tif 000028
【国際調査報告】
2005508240.tif 000029
2005508240.tif 000030
2005508240.tif 000031